(57)【特許請求の範囲】
【請求項１】
主たる放送としての主放送の放送信号を受信して復号する主放送受信復号部と、
副たる放送としての副放送の放送信号を受信して復号する副放送受信復号部と、
前記主放送と前記副放送とが同一の放送であるか否かを判定するサイマル判定部と、
前記主放送受信復号部で受信される主放送の放送信号の受信品質を測定する受信品質測定部と、
前記サイマル判定部により、前記主放送と前記副放送とが同一の放送であると判定された場合に、前記受信品質測定部によって測定された前記主放送の放送信号の受信品質が基準より良好であれば前記主放送受信復号部を選択し、良好でなければ前記副放送受信復号部を選択する選択部と、
前記選択部により選択された放送信号に基づく映像を表示する表示部と、
前記主放送の放送信号に基づく映像の映像品質のレベルを判定する映像品質判定部と、
を備え、
前記映像品質判定部は、
前記主放送の放送信号に基づく映像に含まれるブロックノイズと、その外形がブロックノイズを包含する周辺領域との間における色の属性の差に関する情報に基づいて、前記主放送の放送信号に基づく映像の映像品質のレベルが、その映像に含まれるノイズが認知できるレベルであるか否かを判定し、
前記選択部は、
前記映像品質判定部により、前記ノイズが認知できないレベルであると判定された場合には、前記基準を、前記受信品質が良好でない方向に変更し、
前記映像品質判定部により、前記ノイズが認知できるレベルであると判定された場合には、前記基準を、前記受信品質が良好である方向に変更する、
ことを特徴とする放送受信装置。
【請求項２】
前記映像品質判定部は、
前記色の属性の差に関する情報として、
前記周辺領域において、前記ブロックノイズとの色の属性との差が、閾値を超える画素の割合を求め、
前記周辺領域における色の属性が高い場合には、前記閾値を高めに設定し、
前記周辺領域における色の属性が低い場合には、前記閾値を低めに設定する、
ことを特徴とする請求項１に記載の放送受信装置。
【請求項３】
前記色の属性の差には、
明度差、彩度差及び色相差の少なくとも１つが含まれる、
ことを特徴とする請求項１又は２に記載の放送受信装置。
【請求項４】
前記周辺領域は、
前記ブロックノイズに隣接する隣接画素の領域と、
前記ブロックノイズ及び前記隣接画素を含む領域とのいずれかである、
ことを特徴とする請求項１乃至３のいずれか一項に記載の放送受信装置。
【請求項５】
主たる放送としての主放送の放送信号を受信して復号する主放送受信復号部と、
副たる放送としての副放送の放送信号を受信して復号する副放送受信復号部と、
前記主放送と前記副放送とが同一の放送であるか否かを判定するサイマル判定部と、
前記主放送受信復号部で受信される主放送の放送信号の受信品質を測定する受信品質測定部と、
前記主放送と前記副放送とのいずれかの放送信号に基づく映像を表示する表示部と、
を備える放送受信装置における前記主放送と前記副放送との切替え方法であって、
前記主放送の放送信号に基づく映像の映像品質のレベルを判定する映像品質判定工程と、
前記映像品質判定工程によって判定された映像品質のレベルに基づいて、前記主放送の放送信号の受信品質の基準を調整する調整工程と、
前記サイマル判定部により、前記主放送と前記副放送とが同一の放送であると判定された場合に、前記受信品質測定部によって測定された前記主放送の放送信号の受信品質が基準より良好であれば前記主放送受信復号部を選択し、良好でなければ前記副放送受信復号部を選択する選択工程と、
を含み、
前記映像品質判定工程では、
前記主放送の放送信号に基づく映像に含まれるブロックノイズと、その外形がブロックノイズを包含する周辺領域との間における色の属性の差に関する情報に基づいて、前記主放送の放送信号に基づく映像の映像品質のレベルが、その映像に含まれるノイズが認知できるレベルであるか否かを判定し、
前記調整工程では、
前記映像品質判定工程により、前記ノイズが認知できないレベルであると判定された場合には、前記基準を、前記受信品質が良好でない方向に変更し、
前記映像品質判定工程により、前記ノイズが認知できるレベルであると判定された場合には、前記基準を、前記受信品質が良好である方向に変更する、
切替え方法。
【請求項６】
主たる放送としての主放送の放送信号を受信して復号する主放送受信復号部と、
副たる放送としての副放送の放送信号を受信して復号する副放送受信復号部と、
前記主放送と前記副放送とが同一の放送であるか否かを判定するサイマル判定部と、
前記主放送受信復号部で受信される主放送の放送信号の受信品質を測定する受信品質測定部と、
前記主放送と前記副放送とのいずれかの放送信号に基づく映像を表示する表示部と、
を備える放送受信装置を制御するコンピュータに実行させるプログラムであって、
前記主放送の放送信号に基づく映像の映像品質のレベルを判定する映像品質判定手順と、
前記映像品質判定手順によって判定された映像品質のレベルに基づいて、前記主放送の放送信号の受信品質の基準を調整する調整手順と、
前記サイマル判定部により、前記主放送と前記副放送とが同一の放送であると判定された場合に、前記受信品質測定部によって測定された前記主放送の放送信号の受信品質が基準より良好であれば前記主放送受信復号部を選択し、良好でなければ前記副放送受信復号部を選択する選択手順と、
をコンピュータに実行させ、
前記映像品質判定手順では、
前記主放送の放送信号に基づく映像に含まれるブロックノイズと、その外形がブロックノイズを包含する周辺領域との間における色の属性の差に関する情報に基づいて、前記主放送の放送信号に基づく映像の映像品質のレベルが、その映像に含まれるノイズが認知できるレベルであるか否かを判定し、
前記調整手順では、
前記映像品質判定手順により、前記ノイズが認知できないレベルであると判定された場合には、前記基準を、前記受信品質が良好でない方向に変更し、
前記映像品質判定手順により、前記ノイズが認知できるレベルであると判定された場合には、前記基準を、前記受信品質が良好である方向に変更する、
プログラム。
【発明の詳細な説明】
【技術分野】
【０００１】
本発明は、高品質の主たる放送（主放送）の放送信号と、主放送に比べノイズに強い副たる放送（副放送）の放送信号を受信する放送受信装置等に関する。
【背景技術】
【０００２】
地上波デジタル放送の放送信号を受信する放送受信装置は、受信された放送信号からトランスポートストリーム（ＴＳ）に復調するチューナを備えている。このＴＳから各種パケットを分離した後、同種のパケットでデータストリームとしてまとめられる。このデータストリームはデコーダによって映像音声等のデータに復号化され、再生可能となる。
【０００３】
地上波デジタル放送では、１つの放送局に割り当てられた周波数帯が、１３個のセグメントに分割されている。各放送局は、そのうち１つのセグメントを用いて基地局からワンセグ放送を送出し、残りの１２個のセグメントを用いて、ハイビジョン放送（フルセグ放送）を送出している。
【０００４】
ワンセグ放送は、携帯受信機向けに規格化された放送である。ワンセグ放送では、受信品質を表す受信電波のＣＮＲ（搬送波対雑音比：Carrier to Noise Ratio、値が大きいほど受信状態が良好）が約７ｄＢ以上あれば、放送データをほぼ正しく復号できるように、強力な誤り訂正機能が採用されている。
【０００５】
一方、フルセグ放送は、固定受信機向けに規格化された放送である。フルセグ放送では、正しく復号化するために最低限必要なＣＮＲは約２０ｄＢとされている。このため、受信感度の低いアンテナ等を用いてフルセグ放送を受信する場合、電界強度の弱いエリアでは必要なＣＮＲを確保できないことがある。
【０００６】
フルセグ放送に必要なＣＮＲを確保できない場合に、同一の番組を放送している（サイマル放送を行っている）ワンセグ放送に自動的に切替えて番組を表示すると、ユーザは手間無く同じ番組を続けて視聴することができるので、利便性が良い。電界強度の弱いエリアから強いエリアに移動したときに、ワンセグ放送からフルセグ放送に自動的に切替えて番組を表示した場合も同様である。
【０００７】
そこで、従来から、ワンセグ放送及びフルセグ放送を受信する放送受信装置において、受信品質を表すＢＥＲ（ビットエラーレート）値がある既定の閾値を超えたか否かを判定し、その判定結果に基づいて放送種別を切替える装置が知られている（例えば、特許文献１参照）。
【０００８】
また、受信機器が移動しているときは、フェージングの影響により受信電力の変動が激しく、切替え不要なときであっても放送種別の切替えが発生してしまうという課題に対して、受信環境に応じて閾値を動的に変更することにより、放送切替え時に発生するノイズを抑止する装置が開示されている（例えば、特許文献２参照）。
【先行技術文献】
【特許文献】
【０００９】
【特許文献１】特開２００４−１６６１７３号公報
【特許文献２】特開２００６−２５４０５６号公報
【発明の概要】
【発明が解決しようとする課題】
【００１０】
上記特許文献１に記載の装置では、放送を切替える基準となるのは放送波の受信状態のみである。したがって、この装置では、最終的にユーザに表示される映像品質については考慮されていない。
【００１１】
上記特許文献２に記載の装置においても、切替え判定の閾値を動的に変更する指標となるのはあくまで放送波の受信環境である。このため、放送波の受信環境が劣化して受信品質が低下すると、映像品質として良好であるにもかかわらず、不要な放送種別の切替えが発生する。
【００１２】
本発明は、上記実情に鑑みてなされたものであり、放送信号の受信品質に基づいて主放送と副放送を切替えて受信する放送受信装置における映像品質を向上させることができる放送受信装置等を提供することを目的とする。
【課題を解決するための手段】
【００１３】
上記目的を達成するため、本発明の第１の観点に係る放送受信装置は、
主たる放送としての主放送の放送信号を受信して復号する主放送受信復号部と、
副たる放送としての副放送の放送信号を受信して復号する副放送受信復号部と、
前記主放送と前記副放送とが同一の放送であるか否かを判定するサイマル判定部と、
前記主放送受信復号部で受信される主放送の放送信号の受信品質を測定する受信品質測定部と、
前記サイマル判定部により、前記主放送と前記副放送とが同一の放送であると判定された場合に、前記受信品質測定部によって測定された前記主放送の放送信号の受信品質が基準より良好であれば前記主放送受信復号部を選択し、良好でなければ前記副放送受信復号部を選択する選択部と、
前記選択部により選択された放送信号に基づく映像を表示する表示部と、
前記主放送の放送信号に基づく映像の映像品質のレベルを判定する映像品質判定部と、
を備え、
前記映像品質判定部は、
前記主放送の放送信号に基づく映像に含まれるブロックノイズと、その外形がブロックノイズを包含する周辺領域との間における色の属性の差に関する情報に基づいて、前記主放送の放送信号に基づく映像の映像品質のレベルが、その映像に含まれるノイズが認知できるレベルであるか否かを判定し、
前記選択部は、
前記映像品質判定部により、前記ノイズが認知できないレベルであると判定された場合には、前記基準を、前記受信品質が良好でない方向に変更し、
前記映像品質判定部により、前記ノイズが認知できるレベルであると判定された場合には、前記基準を、前記受信品質が良好である方向に変更する、
ことを特徴とする。
【００１６】
この場合、前記映像品質判定部は、
前記色の属性の差に関する情報として、
前記周辺領域において、前記ブロックノイズとの色の属性との差が、閾値を超える画素の割合を求め、
前記周辺領域における色の属性が高い場合には、前記閾値を高めに設定し、
前記周辺領域における色の属性が低い場合には、前記閾値を低めに設定する、
こととしてもよい。
【００１７】
この場合、前記色の属性の差には、
明度差、彩度差及び色相差の少なくとも１つが含まれる、
こととしてもよい。
【００１８】
また、前記周辺領域は、
前記ブロックノイズに隣接する隣接画素の領域と、
前記ブロックノイズ及び前記隣接画素を含む領域とのいずれかである、
こととしてもよい。
【００１９】
本発明の第２の観点に係る切替え方法は、
主たる放送としての主放送の放送信号を受信して復号する主放送受信復号部と、
副たる放送としての副放送の放送信号を受信して復号する副放送受信復号部と、
前記主放送と前記副放送とが同一の放送であるか否かを判定するサイマル判定部と、
前記主放送受信復号部で受信される主放送の放送信号の受信品質を測定する受信品質測定部と、
前記主放送と前記副放送とのいずれかの放送信号に基づく映像を表示する表示部と、
を備える放送受信装置における前記主放送と前記副放送との切替え方法であって、
前記主放送の放送信号に基づく映像の映像品質のレベルを判定する映像品質判定工程と、
前記映像品質判定工程によって判定された映像品質のレベルに基づいて、前記主放送の放送信号の受信品質の基準を調整する調整工程と、
前記サイマル判定部により、前記主放送と前記副放送とが同一の放送であると判定された場合に、前記受信品質測定部によって測定された前記主放送の放送信号の受信品質が基準より良好であれば前記主放送受信復号部を選択し、良好でなければ前記副放送受信復号部を選択する選択工程と、
を含み、
前記映像品質判定工程では、
前記主放送の放送信号に基づく映像に含まれるブロックノイズと、その外形がブロックノイズを包含する周辺領域との間における色の属性の差に関する情報に基づいて、前記主放送の放送信号に基づく映像の映像品質のレベルが、その映像に含まれるノイズが認知できるレベルであるか否かを判定し、
前記調整工程では、
前記映像品質判定工程により、前記ノイズが認知できないレベルであると判定された場合には、前記基準を、前記受信品質が良好でない方向に変更し、
前記映像品質判定工程により、前記ノイズが認知できるレベルであると判定された場合には、前記基準を、前記受信品質が良好である方向に変更する。
【００２０】
本発明の第３の観点に係るプログラムは、
主たる放送としての主放送の放送信号を受信して復号する主放送受信復号部と、
副たる放送としての副放送の放送信号を受信して復号する副放送受信復号部と、
前記主放送と前記副放送とが同一の放送であるか否かを判定するサイマル判定部と、
前記主放送受信復号部で受信される主放送の放送信号の受信品質を測定する受信品質測定部と、
前記主放送と前記副放送とのいずれかの放送信号に基づく映像を表示する表示部と、
を備える放送受信装置を制御するコンピュータに実行させるプログラムであって、
前記主放送の放送信号に基づく映像の映像品質のレベルを判定する映像品質判定手順と、
前記映像品質判定手順によって判定された映像品質のレベルに基づいて、前記主放送の放送信号の受信品質の基準を調整する調整手順と、
前記サイマル判定部により、前記主放送と前記副放送とが同一の放送であると判定された場合に、前記受信品質測定部によって測定された前記主放送の放送信号の受信品質が基準より良好であれば前記主放送受信復号部を選択し、良好でなければ前記副放送受信復号部を選択する選択手順と、
をコンピュータに実行させ、
前記映像品質判定手順では、
前記主放送の放送信号に基づく映像に含まれるブロックノイズと、その外形がブロックノイズを包含する周辺領域との間における色の属性の差に関する情報に基づいて、前記主放送の放送信号に基づく映像の映像品質のレベルが、その映像に含まれるノイズが認知できるレベルであるか否かを判定し、
前記調整手順では、
前記映像品質判定手順により、前記ノイズが認知できないレベルであると判定された場合には、前記基準を、前記受信品質が良好でない方向に変更し、
前記映像品質判定手順により、前記ノイズが認知できるレベルであると判定された場合には、前記基準を、前記受信品質が良好である方向に変更する。
【発明の効果】
【００２１】
本発明によれば、主放送と副放送とを切替えるための受信品質の基準を、映像品質に応じて調整することができる。このため、映像品質が高い場合における主放送と副放送との間の不要な切替えを防止することができるので、映像品質を向上させることができる。
【図面の簡単な説明】
【００２２】
【図１】本発明の実施形態１に係る放送受信装置の構成を示すブロック図である。
【図２】主放送及び副放送の放送信号を受信可能なエリアを説明するための模式図である。
【図３】図１の放送受信装置の受信切替え処理のフローチャートである。
【図４】閾値調整処理のサブルーチンのフローチャートである。
【図５】ブロックノイズが発生したフレーム画像の一例を示す図である。
【図６】図５のブロックノイズ周辺の拡大図である。
【図７】図７（Ａ）〜図７（Ｄ）は、放送種別の切替えタイミングの変動の一例を示す模式図である。
【図８】本発明の実施形態２に係る放送受信装置における、ブロックノイズと周辺画素を説明するための模式図である。
【発明を実施するための形態】
【００２３】
次に、本発明の実施形態について図面を参照して詳細に説明する。
【００２４】
（実施形態１）
まず、本発明の実施形態１について説明する。本実施形態に係る放送受信装置は、携帯電話やポータブルパーソナルコンピュータ（ＰＣ）等、移動しながらデジタル放送を視聴できる携帯型の放送受信装置である。
【００２５】
図１に示すように、本実施形態に係る放送受信装置１００は、主放送受信復号部１、副放送受信復号部２、通信部２１、記憶部２２、操作部２３、表示部２４及び制御部２５を備える。
【００２６】
主放送受信復号部１は、主放送の放送信号を受信して復号する。主放送受信復号部１は、図示しないが、アンテナ等を介して受信した主放送の放送信号の復調及び復号を行う復調復号回路や、視聴するチャンネルを選択するための選局回路（チューナ）を備えている。
【００２７】
ここで、主放送とは、例えば地上波デジタル放送においては、ハイビジョン放送（フルセグ放送）に相当する。しかしながら、主放送としては、これに限られず、後述する副放送に比べ高品質な放送であればよい。
【００２８】
副放送受信復号部２は、副放送の放送信号を受信して復号する。副放送受信復号部２は、図示しないが、アンテナ等を介して受信した副放送の放送信号の復調及び復号を行う復調復号回路や、視聴するチャンネルを選択するための選局回路（チューナ）を備えている。
【００２９】
ここで、副放送とは、例えば、地上波デジタル放送においては、ワンセグ放送に相当する。副放送としては、これに限られず、主放送に比べてノイズに強い放送であればよい。副放送は、主放送に比べ、低消費電力での放送表示が可能である。
【００３０】
なお、副放送受信復号部２は、副放送のみ受信可能であってもよいし、主放送と副放送とを両方受信可能であってもよい。主放送と副放送とを両方受信可能である場合には、副放送受信復号部２は、副放送のみを抽出して出力する。
【００３１】
通信部２１は、無線通信基地局又は有線通信基地局（いずれも不図示）を介して、各種データを送受信する。例えば、通信部２１は、外部のＥＰＧ（電子番組表）のサイトから電子番組情報等を取得する。
【００３２】
記憶部２２は、放送受信装置１００に内蔵されるメモリや、取出し可能な外部メモリ等の記憶装置である。記憶部２２には、例えば、制御部２５によって実行される動作プログラムや、受信した放送データや、受信する放送種別を切替える際の基準となる閾値などが格納される。
【００３３】
操作部２３は、キーボードや、ボタン、切替えスイッチ等を備える。操作部２３は、ユーザの操作に応じた操作信号を制御部２５に入力する。
【００３４】
表示部２４は、液晶ディスプレイや有機ＥＬ等の表示パネルと、その表示パネルを駆動するドライバ回路とを備える。表示部２４は、制御部２５の制御の下で、より具体的には後述する切替え制御部１３により選択された放送信号に基づく放送番組の映像等を表示する。
【００３５】
制御部２５は、マイクロプロセッサ等を備えている。制御部２５は、操作部２３から出力された操作信号に従って、記憶部２２に格納された動作プログラムを実行することにより、放送受信装置１００の全体の動作を統括制御する。例えば、制御部２５は、主放送受信復号部１又は副放送受信復号部２で受信した放送の映像を表示するように、表示部２４を制御する。
【００３６】
より詳細には、制御部２５は、記憶部２２に格納されている動作プログラムを実行し、サイマル判定部１１、受信品質測定部１２、選択部としての切替え制御部１３、映像品質判定部としてのノイズ認知度判定部１４として機能する。
【００３７】
サイマル判定部１１は、主放送受信復号部１によって受信される主放送の放送信号に含まれる放送番組と、副放送受信復号部２で受信される副放送の放送信号に含まれる放送番組とが同一のものであるか否か（同時（サイマル）放送であるか否か）を判定する。この判定は、概略以下のようにしても行われる。
【００３８】
まず、サイマル判定部１１は、通信部２１を介して受信した外部のＥＰＧ（電子番組表）に含まれる番組情報に基づいて、主放送と副放送との番組に関する類似度を算出する。サイマル判定部１１は、算出された類似度が、所定の値よりも大きい場合には、主放送と副放送とが、サイマル放送であると判定する。この判定結果は、切替え制御部１３に送られる。
【００３９】
受信品質測定部１２は、主放送受信復号部１で受信された放送信号や、副放送受信復号部２で受信された放送信号の受信品質を測定する。この測定結果は、切替え制御部１３に出力される。
【００４０】
受信品質測定部１２によって測定される受信品質には、搬送波と雑音の比であるＣＮＲ（Carrier to Noise Rate）や、ビットエラー率ＢＥＲ（Bit Error Rate）や、パケットエラー率ＰＥＲ（Packet Error Rate）等などがある。しかしながら、受信品質は、これらには限定されない。
【００４１】
なお、主放送受信復号部１及び副放送受信復号部２がそれぞれ別のものとして構成される場合などには、受信品質測定部１２は、主放送受信復号部１からは主放送のＣＮＲとＢＥＲ、副放送受信復号部２からは副放送のＣＮＲとＢＥＲ、といったように各放送についての受信品質を個別に測定するようにしてもよい。
【００４２】
切替え制御部１３は、サイマル判定部１１の判定結果と、受信品質測定部１２の測定結果と、記憶部２２に格納されている切替え基準閾値と、操作部２３から出力される操作信号とに基づいて、受信する放送を選択し、表示部２４に表示させる放送の切替え制御を行う。より具体的には、切替え制御部１３は、サイマル判定部１１により、主放送と副放送とがサイマル放送であると判定された場合に、受信品質測定部１２によって測定された主放送の放送信号の受信品質が切替え基準閾値より良好であれば主放送受信復号部１を選択し、良好でなければ副放送受信復号部２を選択する。
【００４３】
ノイズ認知度判定部１４は、主放送の放送信号に基づく映像の映像品質のレベルを判定する。より具体的には、ノイズ認知度判定部１４は、主放送受信復号部１で受信された主放送の放送信号に基づくフレーム画像内にブロックノイズ（画像の一部領域がモザイク状に見える現象）が発生したと判定された場合に、そのブロックノイズが、ユーザに認知されやすいレベルであるか否かを判定する。
【００４４】
切替え制御部１３は、この判定結果（ブロックノイズの認知レベル、すなわち映像品質のレベル）に基づいて、放送の切替え制御に用いられる切替え基準閾値を調整する。より具体的には、切替え制御部１３は、ノイズ認知度判定部１４により、主放送のノイズが認知できないレベルであると判定された場合には、切替え基準閾値を、受信品質が良好でない方向に変更し、ノイズ認知度判定部１４により、主放送のノイズが認知できるレベルであると判定された場合には、切替え基準閾値を、受信品質が良好である方向に変更する。
【００４５】
次に、本実施形態に係る放送受信装置１００の動作について説明する。
【００４６】
本実施形態に係る放送受信装置１００は、図２に示すように、送出局３１から送出される放送信号を受信する。送出局３１から近いエリア３２では、送出局３１から送出される放送信号の電界強度が強くなっており、送出局３１から遠いエリア３３では、送出局３１から送出される放送信号の電界強度が弱くなっている。
【００４７】
放送信号の電界強度の強いエリア３２では、放送受信装置１００は、主放送の放送信号と副放送の放送信号との両方を良好な状態で受信することが可能である。また、放送信号の電界強度の弱いエリア３３では、放送受信装置１００は、副放送の放送信号を良好な状態で受信し、表示することが可能である。
【００４８】
以下、放送受信装置１００を携帯し、放送を視聴するユーザが、電界強度が強いエリア３２と電界強度の弱いエリア３３との間を移動する場合に行われる主放送と副放送との間の受信切替え処理について、図３のフローを参照して説明する。
【００４９】
図３に示すように、まず、制御部２５（切替え制御部１３）は、主放送の放送番組の映像が表示部２４に表示されるように切替え制御を行い、主放送の受信、表示を行う（ステップＳ１）。これにより、主放送受信復号部１で受信され、復調及び復号された主放送の放送信号に基づいて、主放送の放送番組の映像データや音声データなどが生成される。生成された映像データは、各種の映像信号処理を施された後に、表示部２４に表示される。また、生成された音声データは、スピーカ（不図示）から出力される。主放送の放送信号の復調及び復号が行われている間、受信品質測定部１２は、主放送の放送信号の受信品質を測定している。
【００５０】
続いて、制御部２５（切替え制御部１３）は、受信品質測定部１２によって測定された受信品質と所定の閾値とを比較することにより、表示部２４に表示される映像にブロックノイズが発生しているか否かを判定する（ステップＳ２）。この所定の閾値は、記憶部２２に格納されている。
【００５１】
比較の結果、現在の受信品質が所定の閾値より良好であり、ブロックノイズが発生していないと判定されると（ステップＳ２；Ｎｏ）、制御部２５（切替え制御部１３）は、継続して主放送の放送信号を受信し、表示するために、ステップＳ１に戻る。
【００５２】
一方、現在の受信品質が所定の閾値より悪化しており、ブロックノイズが発生していると判定されると（ステップＳ２；Ｙｅｓ）、制御部２５（ノイズ認知度判定部１４）は、閾値調整処理のサブルーチンを行う（ステップＳ３）。
【００５３】
図４に示すように、ノイズ認知度判定部１４は、ブロックノイズの発生位置を算出する（ステップＳ２１）。図５には、表示部２４で表示される放送映像から切り取られたフレーム画像４０の一例が示されている。図５に示すように、フレーム画像４０では、ブロックノイズ４１、４２が発生している。ここでは、フレーム画像４０内のブロックノイズ４１、４２の位置が算出される。なお、以下では、ブロックノイズ４１に着目して説明する。
【００５４】
図４に戻り、続いて、ノイズ認知度判定部１４は、そのブロックノイズ４１の周辺付近に位置する画素（隣接画素）を抽出する（ステップＳ２２）。図６には、ブロックノイズ４１の周辺の拡大図が示されている。図６に示すように、ブロックノイズ４１の周囲には、複数の画素４４が隣接している。これらの画素４４を、以下では隣接画素４４という。
【００５５】
ここで、ブロックノイズ４１のサイズが、ｍ×ｎピクセルであるものとする。また、出現したブロックノイズ４１内の左上隅の画素４５の位置を（ｘ，ｙ）＝（１，１）とする。
【００５６】
このとき、ブロックノイズ４１に隣接する隣接画素４４の集合をＮとすると、Ｎ＝｛（０，０），（０，１），…，（０，ｎ），（０，ｎ＋１），（１，０），（１，ｎ＋１），（２，０），（２，ｎ＋１），…，（ｍ−１，ｎ＋１），（ｍ，０），（ｍ，ｎ＋１），（ｍ＋１，０），（ｍ＋１，１），…，（ｍ＋１，ｎ），（ｍ＋１，ｎ＋１）｝となる。ここで、集合Ｎに含まれる各要素を、それぞれＮxyとする。
【００５７】
図４に戻り、続いて、ノイズ認知度判定部１４は、ブロックノイズ４１の明度ＶBNと、隣接画素４４の明度ＶNxyとを算出する（ステップＳ２３）。ＲＧＢ表色系において、ブロックノイズ４１の色が（ＲBN，GBN，ＢBN）で表現されるとした場合、ブロックノイズ４１の明度ＶBNは、ＨＳＶ（Hue, Saturation, Value）表色系で表現すると、ＶBN＝ＭＡＸ（ＲBN，ＧBN，ＢBN）となる。同様に、隣接画素４４の明度ＶNxyは、ＶNxy = ＭＡＸ（ＲNxy, ＧNxy, ＢNxy）となる。
【００５８】
なお、隣接画素４４の明度ＶNxyについては、すべての隣接画素４４について算出する必要はない。隣接画素４４のうちのいくつかの隣接画素４４を代表として抽出し、抽出された隣接画素４４の明度ＶNxyを算出するようにしてもよい。
【００５９】
図４に戻り、続いて、ノイズ認知度判定部１４は、次式を用いて、ブロックノイズ４１の明度ＶBNと隣接画素４４との明度ＶNxyとの明度差Ｄxyを算出する（ステップＳ２４）。
Ｄxy = || ＶBN − ＶNxy ||  …（１）
【００６０】
続いて、ノイズ認知度判定部１４は、隣接画素４４の明度ＶNxyに基づいて、後述の判定に用いる閾値ＶTHDを決定する（ステップＳ２５）。本実施形態では、隣接画素４４の明度ＶNxyが高い場合には、ブロックノイズ４１が、相対的に認知されづらいという視覚特性を考慮して、上述の閾値ＶTHDは、高めに設定される。一方、隣接画素４４の明度ＶNxyが低い場合には、ブロックノイズ４１を相対的に認知しやすいため、閾値ＶTHDは低めに設定される。
【００６１】
続いて、ノイズ認知度判定部１４は、明度差Ｄxyと閾値ＶTHDとの関係が、Ｄxy＞ＶTHDの条件を満たす隣接画素４４の画素数Ｎoverを算出する（ステップＳ２６）。
【００６２】
続いて、ノイズ認知度判定部１４は、全隣接画素数ｎ（Ｎ）に対するＮoverの占める割合の逆数を、ブロックノイズ４１と隣接画素４４との親和度として算出する（ステップＳ２７）。
【００６３】
続いて、ノイズ認知度判定部１４は、親和度が、所定数値を超えるか否かを判定する（ステップＳ２８）。
【００６４】
親和度が、所定数値を超える場合（ステップＳ２８；Ｙｅｓ）、切替え制御部１３は、受信品質の切替え基準閾値を受信品質が良好でない方に変更する（ステップＳ２９）。この場合には、ブロックノイズ４１と隣接画素４４の親和度が高く、フレーム画像中においてブロックノイズ４１が目立たないので、主放送に切替えるのが望ましいことから、切替え基準閾値を、受信品質が良好でない方に変更し、主放送へ切替えやすくする。
【００６５】
親和度が、所定数値以下である場合（ステップＳ２８；Ｎｏ）、切替え制御部１３は、受信品質の切替え基準閾値を受信品質が良好な方に変更する（ステップＳ３０）。この場合には、ブロックノイズ４１と隣接画素４４の親和度が低く、フレーム画像中においてブロックノイズ４１が目立つので、副放送に切替えるのが望ましいことから、切替え基準閾値を、受信品質が良好な方に変更し、副放送へ切替えやすくする。
【００６６】
ステップＳ２９、Ｓ３０の実行後、ノイズ認知度判定部１４及び切替え制御部１３は、閾値調整処理のサブルーチンを終了する。
【００６７】
図３に戻り、続いて、制御部２５（切替え制御部１３）は、受信品質を示す値と、その閾値とを比較し、受信品質が閾値より良好であるか否かを判定する（ステップＳ４）。受信品質が良好であると判定されれば（ステップＳ４；Ｙｅｓ）、制御部２５（切替え制御部１３）は、主放送の放送信号の受信、表示を継続する（ステップＳ１）。受信品質が良好でないと判定されれば（ステップＳ４；Ｎｏ）、切替え制御部１３は、副放送を受信可能であるか否かを判定する（ステップＳ５）。
【００６８】
この判定には、受信品質測定部１２によって測定された、副放送受信復号部２で受信された副放送の放送信号の受信品質の測定値が用いられる。その測定値が、所定の基準閾値以下である場合、制御部２５（切替え制御部１３）は、主放送も副放送も受信不能であるとして（ステップＳ５；Ｎｏ）、放送受信を終了する。
【００６９】
一方、その測定値が、所定の基準閾値を超えている場合（ステップＳ５；Ｙｅｓ）、制御部２５（サイマル判定部１１）は、主放送と副放送とがサイマル放送であるか否かを判定する（ステップＳ６）。サイマル放送でないと判定された場合（ステップＳ６；Ｎｏ）、副放送に切替えることにより表示部２４に異なる番組が表示されてしまうことを防ぐため、制御部２５（切替え制御部１３）は、切替え不能として放送受信を終了する。
【００７０】
なお、制御部２５（サイマル判定部１１）は、サイマル放送でないと判定された場合（ステップＳ６；Ｎｏ）、ステップＳ１に遷移して、主放送の受信を行いながら、ブロックノイズ４１が認知できないレベルになるまで、主放送の表示を行わないように表示部２４を制御するようにしてもよい。
【００７１】
一方、サイマル放送であると判定された場合（ステップＳ６；Ｙｅｓ）、制御部２５（切替え制御部１３）は、副放送受信復号部２で受信された放送信号を復調、復号化し、表示部２４に表示するように、副放送への切替え制御を行う（ステップＳ７）。
【００７２】
表示部２４に副放送を表示させている間は、制御部２５（切替え制御部１３）は、上記ステップＳ１と同様にして、主放送の放送信号に基づくフレーム画像にブロックノイズ４１が発生したか否かを判定する（ステップＳ８）。
【００７３】
主放送の放送信号に基づくフレーム画像にブロックノイズ４１が発生していない場合（ステップＳ８；Ｎｏ）、制御部２５（切替え制御部１３）は、主放送受信復号部１で受信された放送信号を復調、復号化し、表示部２４に表示するように、主放送への切替え制御を行い（ステップＳ１１）、主放送の受信、表示を再開する（ステップＳ１）。
【００７４】
一方、主放送の放送信号に基づいてフレーム画像に、ブロックノイズ４１が発生している場合（ステップＳ８；Ｙｅｓ）、制御部２５は、上記ステップＳ３と同様の閾値調整処理のサブルーチン（ステップＳ９）と、受信品質判定（ステップＳ１０）とを行う。
【００７５】
受信品質が閾値より良好でない場合（ステップＳ１０；Ｎｏ）、制御部２５（切替え制御部１３）は、ステップＳ８に戻る。以降、ブロックノイズ４１の発生が否定されるか（ステップＳ８；Ｎｏ）、受信品質が閾値より良好となるまで（ステップＳ１０；Ｙｅｓ）、ステップＳ８→Ｓ９→Ｓ１０が繰り返され、副放送の受信、表示が継続される。
【００７６】
受信品質が閾値より良好となると（ステップＳ１０；Ｙｅｓ）、制御部２５（切替え制御部１３）は、主放送受信復号部１で受信された放送信号を復調、復号化し、表示部２４に表示するように、主放送への切替えを行い（ステップＳ１１）、ステップＳ１に戻る。
【００７７】
以上のようにして、主放送と副放送の受信切替え処理が行われる。
【００７８】
図７（Ａ）〜図７（Ｄ）には、放送受信装置１００における放送種別の切替えの様子の一例が示されている。
【００７９】
図７（Ａ）には、主放送におけるＢＥＲ（ビットエラーレート）の時間推移が示されている。ＢＥＲは、高ければ高いほど、エラーが多く、受信品質が悪化していることを表している。閾値Ｂ０は、副放送を問題なく受信、復調、復号化できるＢＥＲの平均値を示す。閾値Ｂ１は、主放送を問題なく受信、復調、復号化できるＢＥＲの平均値を示す。
【００８０】
図７（Ｂ）〜図７（Ｄ）には、図７（Ａ）のようにＢＥＲが推移した場合において、主放送と副放送の切替えを行うタイミングが模式的に示されている。図７（Ｂ）〜図７（Ｄ）には、その時刻における放送データが、主放送であるか副放送であるかが示されている。図７（Ｂ）〜図７（Ｄ）では、主放送に切替えられている時の放送データの縦幅を、副放送に切替えられている時の放送データの縦幅よりも大きくなるように表している。これにより、両者の解像度の高低を、矩形の高さの差で直感的に認識できるようになっている。
【００８１】
図７（Ｂ）では、仮に、主放送、副放送を受信表示するための閾値を閾値Ｂ１に固定した場合の放送種別の切替えの様子が示されている。
【００８２】
まず、時刻０において、ユーザの操作等によりデジタル放送の受信が開始されたとする。時刻０から時刻ｔ１にかけて、ＢＥＲは閾値Ｂ０及び閾値Ｂ１の両方を上回っているため、放送受信装置１００は、主放送、副放送ともに受信できない状態となっている。
【００８３】
続いて、時刻ｔ１から時刻ｔ２１にかけて、ＢＥＲは閾値Ｂ０を下回っているが、閾値Ｂ１を下回っていないため、放送受信装置１００は、副放送を受信可能であるが、主放送を受信不可能な状態となっている。このため、放送受信装置１００は、時刻ｔ１から時刻ｔ２１にかけて、副放送の放送信号に基づく映像（放送データ１１１）を表示するようになる。
【００８４】
続いて、時刻ｔ２１から時刻ｔ３１にかけて、ＢＥＲは閾値Ｂ０、閾値Ｂ１ともに下回っているため、放送受信装置１００は、主放送を受信可能な状態となっている。このため、放送受信装置１００は、時刻ｔ２１から時刻ｔ３１にかけて、主放送の放送信号に基づく映像（放送データ１１２）を表示するようになる。
【００８５】
続いて、時刻ｔ３１から時刻ｔ４にかけて、ＢＥＲは閾値Ｂ０を下回っているが、閾値Ｂ１を下回っていないため、時刻ｔ１から時刻ｔ２１の状態と同じように、放送受信装置１００は、時刻ｔ３１から時刻ｔ４にかけて、副放送の放送信号に基づく映像（放送データ１１３）を表示するようになる。
【００８６】
最後に、時刻ｔ４以降では、ＢＥＲは閾値Ｂ０及び閾値Ｂ１の両方を上回っているため、時刻０から時刻ｔ１の状態と同じように、放送受信装置１００は、主放送、副放送ともに受信できない状態となる。
【００８７】
このように、主放送、副放送を受信表示するための閾値を閾値Ｂ１に固定すると、副放送から主放送への切替えは、時刻ｔ２１で行われ、主放送から副放送への切替えは、時刻ｔ３１で行われるようになる。これにより、主放送が放送される時間は、放送データ１１２の横幅で示される時間となり、副放送が放送される時間は、放送データ１１１、１１３の横幅で示される時間となる。
【００８８】
次に、図７（Ｃ）、図７（Ｄ）に示すように、本実施形態に係る放送受信装置１００において、切替え基準閾値を変更しながら主放送と副放送を切替えた場合について説明する。
【００８９】
まず、時刻ｔ２１近辺の時間に注目して、副放送から主放送に切替えて受信する処理について説明する。本実施形態に係る放送受信装置１００では、時刻ｔ２１より前の時刻から図１に示される各部が動作中となっている。
【００９０】
図７（Ｃ）では、発生したブロックノイズ４１の周辺の隣接画素４４の明度ＶNxyが比較的高い場合が示されている。隣接画素４４の明度ＶNxyが高いと、明度差Ｄxyと比較される閾値ＶTHDが高く設定されるため、ブロックノイズ４１と隣接画素４４との親和度は高くなりやすい。したがって、この場合には、受信品質が閾値より良好であると判定される傾向が強くなる。
【００９１】
例えば、時刻ｔ２１より前の時刻ｔ２２であっても、ブロックノイズ４１と隣接画素４４との親和度が所定数値を超えれば（図４のステップＳ２８；Ｙｅｓ）、副放送から主放送への切替え基準閾値が、受信品質が良好でない方向（図７（Ａ）のＢＥＲが高い方向）に調整される（図４のステップＳ２９）。図７（Ａ）では、切替え基準閾値が、時刻ｔ２２におけるＢＥＲ値Ｂ３に引き上げられている。これにより、副放送から主放送への切替えが行われる（図３のステップＳ１１）。
【００９２】
このように、発生したブロックノイズ４１の隣接画素４４の明度ＶNxyが高い場合には、切替えタイミングが時刻ｔ２１より早くなるので、主放送を視聴できる時刻を早めることができる。
【００９３】
次に、図７（Ｄ）には、発生したブロックノイズ４１の隣接画素４４の明度ＶNxyが比較的低い場合が示されている。隣接画素４４の明度ＶNxyが低いと、明度差Ｄxyと比較される閾値ＶTHDが低く設定されるため、ブロックノイズ４１と隣接画素４４との親和度は低くなりやすい。したがって、この場合には、受信品質が閾値より良好でないと判定される傾向が強くなる。
【００９４】
例えば、時刻ｔ２１において、ＢＥＲが閾値Ｂ１に達していても、主放送の放送信号におけるブロックノイズ４１と隣接画素４４との親和度が所定数値を超えていなければ（図４のステップＳ２８；Ｎｏ）、切替え基準閾値が、Ｂ１から、受信品質が良好な方（図７（Ａ）のＢＥＲが低い方向）に調整される（図４のステップＳ３０）。これにより、時刻ｔ２１では、主放送から副放送への切替えは行われなくなる。時刻ｔ２１から時刻ｔ２３にかけて、副放送の受信、表示が継続される。
【００９５】
時刻ｔ２３において、ブロックノイズ４１と隣接画素４４との親和度が所定数値を超えるようになれば（図４のステップＳ２８；Ｙｅｓ）、切替え基準閾値が、その時の受信品質が良好でない方向に調整される（ステップＳ２９）。これにより、切替え基準閾値が、時刻ｔ２３におけるＢＥＲ値Ｂ２に変更され、副放送から主放送への切替えが行われる（図３のステップＳ１１）。
【００９６】
このように、発生したブロックノイズ４１の隣接画素４４の明度ＶNxyが低い場合には、切替えタイミングが時刻ｔ２１より遅くなり、ブロックノイズ４１が目立つ主放送の映像が表示されるのを防止することができる。
【００９７】
次に、時刻ｔ３１近辺の時間に注目して、主放送から副放送に切替えて受信する処理について説明する。本実施形態に係る放送受信装置１００では、時刻ｔ３１より前の時刻では主放送を受信しており、図１の各部が動作中である。
【００９８】
まず、図７（Ｃ）を参照して、ブロックノイズ４１の隣接画素４４の明度ＶNxyが比較的高い場合について説明する。ブロックノイズ４１と隣接画素４４との親和度が所定数値を超えており（図４のステップＳ２８；Ｙｅｓ）、受信品質が閾値より良好である間（図３のステップＳ４；Ｙｅｓ）は、切替え制御部１３は、主放送の受信表示を継続している。ブロックノイズ４１と隣接画素４４との親和度が所定数値を下回り（図４のステップＳ２８；Ｎｏ）、切替え基準閾値が、時刻ｔ３３におけるＢＥＲ値に更新されると（図４のステップＳ３０）、受信品質が閾値より良好でないと判定され（図３のステップＳ４；Ｎｏ）、副放送受信可能で（図３のステップＳ５；Ｙｅｓ）、サイマル放送である場合（図３のステップＳ６；Ｙｅｓ）、主放送から副放送への切替えが行われる（図３のステップＳ７）。
【００９９】
このように、発生したブロックノイズ４１の周辺の隣接画素４４の明度ＶNxyが高い場合には、切替えタイミングが時刻ｔ３１より遅くなるので、主放送を視聴できる時間を長くすることができる。
【０１００】
次に、図７（Ｄ）を参照して、発生したブロックノイズ４１の周辺の明度ＶNxyが比較的低い場合について説明する。この場合には、ブロックノイズ４１と隣接画素４４との親和度が所定数値を下回る（図４のステップＳ２８；Ｎｏ）タイミングが早くなる。図７（Ｄ）では、この時刻が、時刻ｔ３２となっている。時刻ｔ３２におけるＢＥＲの値で切替え基準閾値が更新され（図４のステップＳ２９）、受信品質が閾値より良好でないと判定され（図３のステップＳ４；Ｎｏ）、副放送受信可能で（図３のステップＳ５；Ｙｅｓ）、サイマル放送である場合（図３のステップＳ６；Ｙｅｓ）、主放送から副放送への切替えが行われる（図３のステップＳ７）。
【０１０１】
すなわち、図７（Ｄ）に示すように、発生したブロックノイズ４１の隣接画素４４の明度ＶNxyが低い場合には、切替えタイミングは時刻ｔ３１より早くなり、ブロックノイズ４１が目立つ主放送の映像が表示されるのを防止することができる。
【０１０２】
このように、主放送の放送信号のＢＥＲ値に基づいて、切替え基準閾値を更新していくことにより、主放送と副放送との切替えタイミングが受信品質に基づいて最適化される。例えば、図７（Ｃ）に示すように、ブロックノイズ４１が目立ちにくい場合には、副放送の放送信号に基づく映像（放送データ１２１、１２３）の表示時間は短くなり、主放送の放送信号に基づく映像（放送データ１２２）の表示時間は長くなる。また、図７（Ｄ）に示すように、ブロックノイズ４１が目立つ場合には、副放送の放送信号に基づく映像（放送データ１３１、１３３）の表示時間は長くなり、主放送の放送信号に基づく映像（放送データ１３２）の表示時間は短くなる。
【０１０３】
以上詳細に説明したように、本実施形態によれば、主放送と副放送とを切替えるための受信品質の基準を、映像品質に応じて調整する。このため、映像品質が高い場合には放送種別の不要な切替えを防止することができるので、映像品質をより向上させることができる。
【０１０４】
すなわち、本実施形態によれば、主放送の放送信号に基づくフレーム画像内のノイズが目立つときには、放送種別の切替えを迅速に行って省電力化を実現し、そのフレーム画像内のノイズが目立たないときには、不要な放送種別の切替えを防止して、映像品質を向上させることができる。
【０１０５】
より具体的には、本実施形態によれば、主放送の放送信号に基づく映像が表示部２４に表示された場合に、その映像に含まれるノイズが認知できるレベルであるか否かを判定し、ノイズが認知できないレベルであると判定された場合には、受信品質の切替え基準閾値を、受信品質が良好な方に変更し、ノイズが認知できるレベルであると判定された場合には、切替え基準閾値を、受信品質が良好でない方に変更する。このようにすれば、主放送の放送信号に基づく映像においてノイズが目立つ場合には、副放送を選択することができるので、表示部２４に表示される映像のノイズを低減することができる。
【０１０６】
このように、本実施形態によれば、主放送の映像の映像品質に応じて、主放送と副放送との切替え基準閾値を変更することにより、主放送と副放送とを映像品質に応じた最適なタイミングで切替えることができる。
【０１０７】
例えば、図７（Ａ）〜図７（Ｄ）に示すように、従来の固定閾値による切替えタイミングに比べて早い切替え時刻となった場合は、主放送の受信表示に必要な電力を削減し、ブロックノイズ４１が目立つ状態で主放送の放送信号に基づく映像が表示されるのを防止することができる。また、従来の固定閾値による切替えタイミングに比べて遅い切替え時刻となった場合には、高品質な主放送の視聴時間を長くすることができる。
【０１０８】
なお、本実施形態では、理解を容易にするため、主放送のＢＥＲの値と閾値Ｂ１を用いた単純なアルゴリズムを用いて、主放送と副放送との切替えを行っているが、放送種別の切替えアルゴリズムはこれに限られず、具体的なアルゴリズムは特に問わない。すなわち、受信品質に基づいて主放送と副放送との切替え処理には、種々の設計変更が可能である。
【０１０９】
（実施形態２）
次に、本発明の実施形態２について説明する。
【０１１０】
本実施形態に係る放送受信装置１００は、閾値を変更しながら主放送と副放送を切替える受信切替え処理におけるノイズ認知度判定部１４の動作が、上記実施形態１と異なる。
【０１１１】
上記実施形態１に係るノイズ認知度判定部１４は、ブロックノイズ４１と隣接画素４４との比較に基づいて、ブロックノイズ４１が目立つか否かを判定した。これに対し、本実施形態２に係るノイズ認知度判定部１４は、ブロックノイズ４１が発生した画素を含む周辺領域としての近傍エリアの画素の特性に基づいて、ブロックノイズ４１が目立つか否かを判定する。
【０１１２】
この近傍エリアとは、例えばブロックノイズ４１が発生した画素を中心部分とし、その外形がブロックノイズ４１を包含する円形、矩形などで規定された領域である。近傍エリアの大きさや形は、任意であり、特に限定されるものではない。
【０１１３】
図８に示すように、本実施形態では、ブロックノイズ４１の近傍エリアをブロックノイズ４１周辺のｐ×ｑピクセル（ｐ＞ｍ，ｑ＞ｎ）の矩形の領域とする。このｐ×ｑピクセルの領域に含まれる画素を周辺画素５４とする。周辺画素５４には、ブロックノイズ４１自体も含まれる。
【０１１４】
このとき、ノイズ認知度判定部１４は、上記実施形態１で示したのと同様に、近傍エリアとして定義された領域（ｐ×ｑピクセルの領域）の一部の周辺画素５４、もしくはすべての周辺画素５４のＶNxyを算出する。続いて、ノイズ認知度判定部１４は、周辺画素５４の明度ＶNxyと、発生したブロックノイズ４１の明度ＶBNと比較し、所定の閾値ＶTHDを超えた画素数Ｎoverの割合に基づいて、ブロックノイズ４１と周辺画素５４との親和度を算出する。
【０１１５】
本実施形態によれば、上記実施形態１に係る放送受信装置１００と同様の効果が得られる。
【０１１６】
さらに、本実施形態では、親和度を計算する対象を、ブロックノイズ４１に隣接する隣接画素４４のみに限らず、近傍エリアに拡大する。そして、近傍エリア内に存在する周辺画素５４における平均的な明度ＶNxyとブロックノイズ４１の明度ＶBNとを比較する。これにより、より広い領域で、ブロックノイズ４１の目立つ度合を評価することができる。この結果、ブロックノイズ４１が目立つか否かを、人間の視覚に即した状態で、より正確に判定することができる。
【０１１７】
なお、上記各実施形態では、ブロックノイズ４１の隣接画素４４、周辺画素５４（以下、単に画素４４、５４と略述する）の明度差Ｄxyに応じてブロックノイズ４１と周辺の画素４４、５４との親和度を算出するための閾値を変更した。明度差Ｄxyは、表示部２４を視聴するユーザが認知しやすい要素であるため、ブロックノイズ４１と周辺の画素４４、５４との親和度を高精度に算出できるからである。
【０１１８】
しかしながら、本発明はこれに限られない。例えば、ブロックノイズ４１と、周辺の画素４４、５４との彩度差や色相差に基づいて、ブロックノイズ４１と周辺の画素４４、５４との親和度を算出するようにしてもよい。彩度差や色相差も、表示部２４を視聴するユーザが認知しやすい要素であるため、ブロックノイズ４１と周辺の画素４４、５４との親和度を高精度に算出できるからである。また、明度差、彩度差、色相差を複数組み合わせて、親和度を算出するようにしてもよい。
【０１１９】
このように、ブロックノイズ４１と周辺の画素４４、５４との親和度は、色の属性の差に基づいて算出される。このようにすれば、ブロックノイズ４１が目立つ度合いを正確に算出することができる。
【０１２０】
すなわち、ノイズが認知できるレベルであるか否かは、放送の放送信号に基づく映像に含まれるブロックノイズ４１と、そのブロックノイズ４１の周辺領域との間における色の属性の差に基づいて判定される。色の属性の差は、表示部２４を視聴するユーザが認知しやすい要素であるため、映像品質のレベルを確実に判定できるからである。
【０１２１】
また、上記各実施形態では、ブロックノイズ４１が目立つか否かが、そのブロックノイズ４１に隣接する隣接画素４４と、ブロックノイズ４１及び隣接画素４４を含む周辺領域とのいずれかを用いて判定される。これにより、ブロックノイズ４１が目立つか否かを、確実に判定することができる。
【０１２２】
周辺領域は、ブロックノイズ４１に隣接する画素４４だけの領域でも良いが、それよりも大きい領域であってもよい。ブロックノイズ４１と比較する領域が大きければ大きいほど、ブロックノイズ４１が目立つか否かを正確に判定することができるが、判定に要する処理時間が長くなってしまう。したがって、どの程度の大きさの領域の画素を用いるかは、判定の正確さと処理時間とのバランスに応じて決定されるのが望ましい。
【０１２３】
最も、本発明では、ブロックノイズ４１だけでなく、画面全体の映像品質に基づいて、主放送と副放送との切替えを行うようにしてもよい。
【０１２４】
なお、上記各実施形態では、サイマル判定部１１は、外部のＥＰＧ（電子番組表）に含まれる番組情報を用いて判定を行った。しかしながら、サイマル判定部１１は、ある時点における主放送受信復号部１で受信された放送信号と、副放送受信復号部２で受信した放送信号に含まれる映像や音声、ＥＰＧなどの情報に基づいて、両者の放送の相関度を算出するようにしてもよい。このようにサイマル判定部１１による判定方法は、上記各実施形態のものには限られない。
【０１２５】
なお、上記各実施形態では、携帯型の放送受信装置を本発明に適用する場合について説明したが、本発明は、乗り物等に設置されるカーナビゲーション等の放送受信装置や、建物に設置される放送受信装置にも適用することができる。
【０１２６】
なお、上記各実施形態において、制御部２５により実行されるプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納して配布し、そのプログラムをインストールすることにより、上述の処理を実行するシステムを構成することとしてもよい。
【０１２７】
また、プログラムをインターネット等の通信ネットワーク上の所定のサーバ装置が有するディスク装置等に格納しておき、例えば、搬送波に重畳させて、ダウンロード等するようにしても良い。
【０１２８】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【産業上の利用可能性】
【０１２９】
本発明は、例えば、地上波デジタル放送のように、主放送と副放送とでサイマル放送が行われる放送の放送信号を受信して表示する放送受信装置に好適であり、特に、携帯電話等のモバイル型の放送受信装置に好適である。
【符号の説明】
【０１３０】
１…主放送受信復号部、２…副放送受信復号部、１１…サイマル判定部、１２…受信品質測定部、１３…切替え制御部、１４…ノイズ認知度判定部、２１…通信部、２２…記憶部、２３…操作部、２４…表示部、２５…制御部、３１…送出局、３２、３３…エリア、４０…フレーム画像、４１、４２…ブロックノイズ、４４…隣接画素、４５…画素、５４…周辺画素、１００…放送受信装置、１１１、１１２、１１３、１２１、１２２、１２３、１３１、１３２、１３３…放送データ
【図１】
0005441157.tif 000002
【図２】
0005441157.tif 000003
【図３】
0005441157.tif 000004
【図４】
0005441157.tif 000005
【図５】
0005441157.tif 000006
【図６】
0005441157.tif 000007
【図７】
0005441157.tif 000008
【図８】
0005441157.tif 000009